(57)【要約】【課題】臀溝に本体生地が食い込んでしまうような着崩れを防止し、体型補整機能の向上が図られた股付き衣類を提供すること。【解決手段】臀溝Ｂ周辺の贅肉が付き易い部位である張出容易領域Ａに対応する位置を通り、臀裂側へ斜め上方へ延設された第１緊締部１１、及び張出容易領域Ａに対応する位置を通り、上方へ延在する第２緊締部２１を備える構成とする。第１緊締部１１によって、張出容易領域Ａの肉が臀裂側へ押圧され、第２緊締部２１によって、張出容易領域Ａの肉が上方へ押圧される。これにより、臀溝Ｂの左右方向の長さが短くなるように体型を補整し、臀溝Ｂに本体生地が食い込んでしまうような着崩れを防止する。【選択図】図１
2011214188.tif 000002
【特許請求の範囲】
【請求項１】
少なくとも着用者の臀部を覆う本体部と、前記本体部の緊締力よりも強い緊締力を有する緊締部とを備える股付き衣類であって、
前記緊締部は、
臀裂上端部近傍から、臀溝の左右両端部の上方に位置し贅肉が付着しやすい部分である張出容易領域に対応する位置まで斜め下方へ延設された左右一対の第１緊締部と、
左右の前記張出容易領域に対応する位置から上方へ延設された左右一対の第２緊締部と、を備えることを特徴とする股付き衣類。
【請求項２】
前記第１緊締部の上端部は、臀裂上端部近傍から更に上方へ延在していることを特徴とする請求項１記載の股付き衣類。
【請求項３】
前記第１緊締部の下端部は、前記張出容易領域に対応する位置から下方へ延在していることを特徴とする請求項１または２記載の股付き衣類。
【請求項４】
前記第２緊締部の下端部は、前記張出容易領域に対応する位置から内股側へ臀溝を斜めに跨ぐように延在していることを特徴とする請求項１〜３の何れか一項に記載の股付き衣類。
【請求項５】
前記緊締部は、前記本体部の一部の伸度を変更することで形成されていることを特徴とする請求項１〜４の何れか一項に記載の股付き衣類。
【請求項６】
前記緊締部は、前記本体部に当て布を取り付けて形成されていることを特徴とする請求項１〜５の何れか一項に記載の股付き衣類。
【発明の詳細な説明】
【技術分野】
【０００１】
本発明は、股付き衣類に関する。
【背景技術】
【０００２】
例えば、ガードルなどの股付き衣類において、着用者の体型を補整する機能や筋肉をサポートする機能を実現するために、着用者を覆う本体生地の緊締力よりも強い緊締力を有する帯状の緊締部が設けられているものがある（例えば、特許文献１参照）。特許文献１に記載された股付き衣類では、着用した際に着用者の左右の大転子近傍から腰部上部へ相当する位置に凸状に湾曲して、帯状の緊締部が形成されている。
【先行技術文献】
【特許文献】
【０００３】
【特許文献１】特開２００４−１５６１５３号公報
【発明の概要】
【発明が解決しようとする課題】
【０００４】
しかしながら、従来の股付き衣類では、着用者の動作に伴って着崩れが発生することがあり、例えば、臀部と太股との間に形成される臀溝に本体生地が食い込み横じわが発生する、いわゆる着崩れが生じていた。また、この着崩れにより、臀部下部から脚部に連続する曲線が急峻となることで、脚が短く見えてしまうという問題があった。
【０００５】
本発明は、このような課題を解決するために成されたものであり、臀溝に本体生地が食い込んでしまうような着崩れを防止し、体型補整機能の向上が図られた股付き衣類を提供することを目的とする。
【課題を解決するための手段】
【０００６】
本発明者は、課題の解決のために鋭意研究を重ねる過程で、臀部において、臀溝の左右両端周辺に贅肉（脂肪分の多い肉）が付き易い個所があることを発見し、この贅肉が付き易い個所の一部が、その周辺部よりも張り出しているため、臀部下部のたるみが大きくなり、臀溝に本体生地（身頃）が食い込み易くなり、着崩れが発生しやすくなるとの知見を得た。そして、臀溝の左右両端周辺に位置する上記贅肉の付き易い個所の一部を臀裂側へ押圧するように緊締部を設けることで、臀部の立ち上がり角度を大きなものとすることができること、臀溝に対する本体生地の食い込みを少なくするのに効果的であることを見出した。
【０００７】
そこで、本発明による股付き衣類は、少なくとも着用者の臀部を覆う本体部と、本体部の緊締力よりも強い緊締力を有する緊締部とを備える股付き衣類であって、緊締部は、臀裂上端部近傍から、臀溝の左右両端部の上方に位置し贅肉が付着しやすい部分である張出容易領域に対応する位置まで斜め下方へ延設された左右一対の第１緊締部と、左右の前記張出容易領域に対応する位置から上方へ延設された左右一対の第２緊締部と、を備えることを特徴としている。
【０００８】
このような股付き衣類は、臀溝周辺の贅肉が付き易い部位である張出容易領域に対応する位置を通り、臀裂側へ斜め上方に延在する第１緊締部を備える構成であるため、贅肉の付き易い個所である張出容易領域を臀裂側へ押圧することができる。これにより、臀溝の左右両端部付近の贅肉が、臀裂側へ寄せられるので、臀溝の左右方向の長さが短くなるように着用者の体型を補整することができる。また、股付き衣類は、臀溝周辺の贅肉が付き易い部位である張出容易領域に対応する位置を通り、上方へ延在する第２緊締部を備える構成であるため、贅肉の付き易い個所である張出容易領域を上方へ押圧することができる。これにより、臀溝の左右両端部付近の贅肉が、腰部の左右両端側へ引き上げられるので、臀溝の左右方向の長さが短くなるように着用者の体型を補整することができる。これらの第１緊締部及び第２緊締部によって、臀溝の左右方向の長さが短くなるように着用者の体型が補整され、臀溝の深さが浅くなること、着崩れが防止され緊締部が正しい位置に保持されることの相乗効果により、緊締部による体型補整機能が更に効果的に発揮される。その結果、臀部の出っ張りが好適に補整され、臀部下部から脚部に連続する曲線が急峻となることを防ぎ、着用者の脚が長く見えるようになる。また、臀部を小さく見せるという効果も生じる。
【０００９】
また、第１緊締部の上端部は、臀裂上端部近傍から更に上方へ延在していることが好ましい。これにより、贅肉が付き易い部位である張出容易領域の贅肉を臀裂側へ、斜め上方へさらに寄せることができる。
【００１０】
また、第１緊締部の下端部は、張出容易領域に対応する位置から斜め下方外側へ延在していることが好適である。これにより、臀溝の左右両端部付近の贅肉が付着している箇所から臀部の直下方に位置する太股の付根部分を通らないように下方に、第１緊締部が形成されるので、張出容易領域の贅肉を臀裂側へ、斜め上方へさらに寄せることができる。
【００１１】
また、第２緊締部の下端部は、張出容易領域に対応する位置から内股側へ臀溝を斜めに跨ぐように延在していることが好ましい。これにより、第２緊締部の下端部が、内股に密着するため、着用者に締め付け力を効果的に感じさせることができ、緊締部による体型補整機能が充分に発揮されていることを着用者に認識させることができる。
【００１２】
また、緊締部は、本体部の一部の伸度を変更することで形成されていてもよい。
【００１３】
また、緊締部は、本体部に当て布を取り付けて形成するものとしてもよい。
【発明の効果】
【００１４】
本発明の股付き衣類によれば、臀溝の左右両端部付近の肉を臀裂側へ寄せて引き上げることで、臀溝の左右方向の長さを短くして、臀溝に本体生地が食い込んでしまう着崩れを防止し、体型補整機能の向上を図ることができる。
【図面の簡単な説明】
【００１５】
【図１】本発明の実施形態に係る股付き衣類を着用状態で示す背面図である。
【図２】図１に示す股付き衣類の斜視図であり、当て布の縫着の有無を示す図である。
【図３】緊締部の配置と、片足挙げ動作時における皮膚の伸展率の高い部位との位置関係を示す図である。
【図４】本実施形態に係るガードルを着用した場合の臀部の立ち上がり角度と、従来のガードルを着用した場合の臀部の立ち上がり角度とを比較するための図である。
【図５】本実施形態に係るガードルを着用した場合の臀溝の左右方向の長さと、従来のガードルを着用した場合の臀溝の左右方向の長さとを比較するための図である。
【図６】実施形態に係る第１変形例の股付き衣類の背面図である。
【図７】実施形態に係る第２変形例の股付き衣類の背面図である。
【図８】実施形態に係る第３変形例の股付き衣類の正面図である。
【図９】実施形態に係る第３変形例の股付き衣類の背面図である。
【図１０】実施形態に係る第４変形例の股付き衣類の背面図である。
【図１１】実施形態に係る第５変形例の股付き衣類の背面図である。
【図１２】実施形態に係る第６変形例の股付き衣類の背面図である。
【図１３】実施形態に係る第７変形例の股付き衣類の背面図である。
【発明を実施するための形態】
【００１６】
以下、本発明による股付き衣類の好適な実施形態について図面を参照しながら説明する。なお、図面の説明において同一または相当要素には同一の符号を付し、重複する説明は省略する。
【００１７】
本実施形態では、股付き衣類として女性用の股付きのガードル（ロングタイプガードル）１を例にとって説明する。ガードル１は、下複部から膝上近傍までを被覆するロングタイプのガードルである。このガードル１は、着用者の下半身を覆う股付きの本体部２を備え、この本体部２は、下半身の正面側を覆う前身頃３と、下半身の背面側を覆う後身頃４とを有する。ガードル１は、左右対称に形成されている。
【００１８】
本体部２は、伸縮性を有する本体生地によって構成されている。なお、本体生地は、例えば、ツーウェイラッセル、ツーウェイトリコット、ダブルラッセル、丸編み、レース材等を用いた編地によって形成することが考えられるが、その他の伸縮性を有する素材によって形成するものとしても良い。前身頃３は、下半身の正面側から脇にかけて形成され背面側で、後身頃４と縫合されている。前身頃３と後身頃４との縫合ライン２ａは、本体部２の背面側の側部に形成され、上縁２ｂから裾部（下縁）２ｃにかけて上下方向に延在している。
【００１９】
また、ガードル１は、本体部２の緊締力よりも強い緊締力を有し帯状に形成された緊締部１０を備えている。ここで、本発明者は、臀部において、臀溝Ｂの左右両端周辺に贅肉（余分な肉）が付き易い個所があり、贅肉が付き易い箇所の一部には、周辺よりも出っ張った張出容易領域Ａが形成されることを発見した。そして、この張出容易領域Ａが周辺よりも出張るため、臀溝Ｂに本体部２が食い込み易くなり、着崩れが発生しやすくなるという知見を得た。そこで、緊締部１０は、張出容易領域Ａを臀裂側へ押圧するように設けられている。なお、張出容易領域Ａは、図１において、一点鎖線で示されている。
【００２０】
例えば、左右の大転子Ｄを結ぶ直線を第１仮想線Ｌ１（図５参照）とし、太股の付根の幅方向の中央を通り上下方向に延在する直線を第２仮想線Ｌ２とすると、張出容易領域Ａは、上下方向において第１仮想線Ｌ１と臀溝Ｂとの間であり、幅方向において第２仮想線Ｌ２よりもやや外側に位置している。
【００２１】
緊締部１０は、臀裂上端部Ｃ近傍から左右の張出容易領域Ａに対応する位置まで斜め下方へ延設された左右一対の第１緊締部１１と、左右の張出容易領域Ａに対応する位置から上方へ延設された左右一対の第２緊締部２１と、を備えている。第１緊締部１１及び第２緊締部２１は、帯状を成し、例えば当て布によってそれぞれ形成されている。
【００２２】
第１緊締部１１は、本体部２の上縁２ｂから後中心に沿って下方へ、臀裂の上端部Ｃ近傍まで延在する上端部１２と、臀裂の上端部Ｃ近傍から左右の張出容易領域Ａに対応する位置まで斜め下方へ延在する傾斜部１３と、左右の張出容易領域Ａから更に下方へ延在し裾部２ｃ近傍まで形成された下端部１４とを有する。上端部１２、傾斜部１３、及び下端部１４は、連続して形成されている。また、第１緊締部１１は、張出容易領域Ａを覆うように形成されている。また、第１緊締部１１の上端部１２は、後中心を挟んで連続して形成されている。
【００２３】
第１緊締部１１の上辺（幅方向の上側の端部）１１ａは、上縁２ｂから下方へ延在し、張出容易領域Ａの上部近傍へ緩やかに湾曲して形成されている。第１緊締部１１の下辺（幅方向の下側の端部）１１ｂは、後中心から斜め下方へ延在し、張出容易領域Ａより内側（臀裂側）を通り、裾部２ｃ近傍まで形成されている。第１緊締部１１の下辺１１ｂは、緩やかに湾曲し、下方に向かうにつれて、縫合ライン２ａに接近するように形成されている。
【００２４】
第１緊締部１１の上辺１１ａの下端から屈曲形成された側辺１１ｃは、張出容易領域Ａの外側を通り、縫合ライン２ａに沿って上下方向に延在し、裾部２ｃまで達している。第１緊締部１１の下端部１４の幅は、下方に向かうにつれて先細りの形状となっている。
【００２５】
一方、第１緊締部１１の下辺１１ｂの上端から、更に上方へ形成された辺１１ｄは、後中心に沿って上下方向に延在し、臀裂の上端Ｃ近傍を通り、上縁２ｂまで達している。
【００２６】
第２緊締部２１は、両側部において、上縁２ｂから張出容易領域Ａに対応する位置まで上下方向に延在する上下方向部２２と、張出容易領域Ａから内股側まで、斜め下方へ延在する傾斜部２３とを有する。上下方向部２２及び傾斜部２３は、連続して形成されている。また、第２緊締部２１は、張出容易領域Ａを覆うように形成されている。
【００２７】
第２緊締部２１の上辺（幅方向の上側の端部）２１ａは、上縁２ｂから下方へ延在し、後中心側へ緩やかに湾曲し、張出容易領域Ａより内側を通り、内股側へ形成されている。第２緊締部２１の上辺２１ａの下端部は、内股の正面側までらせん状に形成されている。
【００２８】
第２緊締部２１の側辺２１ｂは、背面側の側部近傍で上下方向に延在し、上縁２ｂから張出容易領域Ａ近傍まで形成されている。側辺２１ｂの下端部は、張出容易領域Ａより外側を通るように配置されている。側辺２１ｂは、縫合ライン２ａに沿って、上縁２ｂから張出容易領域Ａの下部側まで延在している。
【００２９】
第２緊締部２１の下辺（幅方向の下側の端部）２１ｃは、側辺２１ｂの下端から屈曲形成され、張出容易領域Ａ近傍から斜め下方へ、臀溝Ｂを跨ぎ内股側へ形成されている。下辺２１ｃの下端部は、内股の正面側までらせん状に形成されている。第２緊締部２１の傾斜部２３の幅は、略一定とされている。
【００３０】
緊締部１０は、張出容易領域Ａに対応する位置において、第１緊締部１１と第２緊締部２１とが交差している。例えば、第１緊締部１１が本体生地側に配置され、その上に第２緊締部２１が配置されている。着用状態においては、第１緊締部１１が肌側に配置され、その上に第２緊締部２１が配置される。なお、着用者の肌側に第２緊締部が配置されてもよい。張出容易領域Ａは、第１緊締部１１及び第２緊締部２１によって覆われて、２方向へ押圧可能とされている。
【００３１】
本実施形態では、張出容易領域Ａ全体を覆うように、第１緊締部１１と、第２緊締部２１とが設けられている。しかし、本発明は、これに限定されるものではない。例えば、体型補整機能が充分得られる場合には、張出容易領域Ａの一部を覆うように第１緊締部１１と、第２緊締部２１とを設けるものとしても良い。
【００３２】
次に、図２を参照して、緊締部１０が当て布によって形成されている場合の縫着位置について説明する。図２は、緊締部である当て布の縫着の有無を示す図である。第１緊締部１１は、図２において実線で示される上辺１１ａ、側辺１１ｃ、及び辺１１ｄが本体生地に縫着され、破線で示される下辺１１ｂが本体生地に縫着されていない。第１緊締部１１の下辺１１ｂは、本体生地に対してフリーな状態であり、本体生地に対して接離可能な構成とされている。
【００３３】
第２緊締部２１は、図２において実線で示される上辺２１ａ、及び側辺２１ｂが本体生地に縫着され、破線で示される下辺２１ｃが本体生地に縫着されていない。第２緊締部２１の下辺２１ｃは、本体生地に対してフリーな状態であり、本体生地に対して接離可能な構成とされている。第１緊締部１１及び第２緊締部２１において、対向する辺のうち、上側（上縁２ｂ側）に配置された辺のみを縫着するようにしてもよい。また、上辺の全長に渡って縫着してもよく、上辺の一部のみを縫着してもよい。
【００３４】
次に、図３を参照して、緊締部の配置と、片足挙げ動作時における皮膚の伸展率との関係について説明する。図３では、着用者の臀部を示し、そこに、片足挙げ動作時における皮膚の伸展率を示している。臀部周辺は、他の部位と比較して、皮膚が伸び易いことが分かる。臀溝Ｂの直下に位置する部位Ｓ２は、周辺と比較して特に皮膚の伸展率が高く、１５０％以上である。部位Ｓ２の上下方向に隣接する部位Ｓ１，Ｓ２は、皮膚の伸展率が１３０％〜１５０％程度であり、部位Ｓ３の上方に隣接する部位Ｓ４は、部位Ｓ１〜Ｓ３と比較して、伸展率が低いことが分かる。
【００３５】
本実施形態の緊締部１０は、それぞれ皮膚が比較的伸び難い位置を通過するように設けられている。緊締部１０のうち、張出容易領域Ａに対応する位置より上方の部位は、比較的、皮膚が伸び難い位置を通過するように設けられている。このように、皮膚の伸び難い個所を経由するように緊締部１０を設けることにより、着崩れの発生を抑制することができる。
【００３６】
本実施形態では、部位Ｓ２のように、皮膚が伸び易い個所に配置される下辺２１ｃを本体生地に縫着しないように形成することにより、皮膚の伸展に伴って本体生地の臀溝Bに対する食い込みを防止する例を挙げて説明している。しかし、本発明は、これに限定されるものではない。例えば、本体生地の伸縮特性によっては本体生地に下辺２１ｃを縫着しないようにしなくとも臀溝Bに対する食い込みを防止できる場合も考えられる。このような場合には、当て布の下辺２１ｃを本体生地に縫着するものとしても良い。
【００３７】
また、緊締部１０である当て布を構成する布地の地の目（布地が伸び易い方向）の方向は、当て布が縫着されていない下辺１１ｂ，２１ｃの延在方向と並行となるように設けられている。なお、当て布の下辺１１ｂ，２１ｃと直交する方向は、地の目と直交するため伸び難いが、下辺側を縫着しないことにより当て布が身頃に引っ張られることが防止される。
【００３８】
本実施形態では、当て布の下辺１１ｂ、２１ｃを本体生地に縫着しないことにより、当て布が身頃に引っ張られることを防止する例を挙げて説明しているが、本発明はこれに限定されるものでない。例えば、身頃を形成する本体生地の特性によっては、当て布が身頃に引っ張られる力が小さく、実用上問題が無いことも考えられる。このような場合には、当て布の下辺１１ｂ、２１ｃを本体生地に縫着するものとしても良い。
【００３９】
次に、本実施形態のガードル１の作用について説明する。着用状態においてガードル１は、着用者に密着した状態となる。このとき、臀溝Ｂの両端部近傍にある張出容易領域Ａは、第１緊締部１１及び第２緊締部２１によって覆われている。第１緊締部１１は、張出容易領域Ａを覆い、臀溝Ｂの左右両端近傍から臀裂側へ斜め上方に延在し、張出容易領域Ａの肉を臀裂側へ引き寄せる（図２参照）。また、第２緊締部２１は、張出容易領域Ａを覆い、臀溝Ｂの左右両端近傍から直上方へ延在し、張出容易領域Ａの肉を上方へ引き上げる。これにより、２方向に力を分散して、張出容易領域Ａの肉を引き上げることができる。
【００４０】
第１緊締部１１の上端部１２は、臀裂に沿って、臀裂上端Ｃよりも上方へ延在している。これにより、張出容易領域Ａの肉を臀裂側へ引き寄せるための力Ｆ１を、増大させることができる。第１緊締部１１の下端部１４は、太股の側部においてガードル１の下端から上方へ延在し、張出容易領域Ａまで延在している。これにより、張出容易領域Ａ近傍の肉を下方から連続して臀裂側へ引き寄せることができる。
【００４１】
また、第２緊締部２１の傾斜部２３は、内股の正面側かららせん状に上方へ延在し、張出容易領域Ａまで延在している。これにより、着用者に適度な締め付け感を与えることができる。
【００４２】
次に、ガードル１による体型補整機能について説明する。図４は、本実施形態に係るガードルを着用した場合の臀部の立ち上がり角度と、従来のガードルを着用した場合の臀部の立ち上がり角度との比較をするための図である。図４（Ａ），（Ｂ）は、従来のガードル５１を着用した場合を示し、図４（Ｃ），（Ｄ）は、本実施形態に係るガードル１を着用した場合を示している。ここで、立ち上がり角度とは、水平方向に延在する基準線Ｐ０と、臀部下部の臀裂付近の丸み形状における接線Ｐ１，Ｐ２との角度である。図４（Ａ），（Ｃ）に示すように、本実施形態に係るガードル１を着用した場合の立ち上がり角度は、従来のガードル５１を着用した場合の立ち上がり角度よりも大きいことが分かる。
【００４３】
また、図４（Ｂ），（Ｄ）に示すように、本実施形態に係るガードル１を着用した場合の方が、従来のガードル５１と比較して臀部の頂点Ｔが、高い位置に配置されることが分かる。ガードル１，５１の裾部２ｃを基準位置Ｐ１０として、この基準位置Ｐ１０からガードル１の頂点Ｔまでの高さＨ１は、基準位置Ｐ１０からガードル５１の頂点Ｔまでの高さＨ２より高くなる。従来のガードル５１では、臀部の立ち上がり角度が小さくなり、臀部下部から脚部に向かうカーブが急峻になるため、脚が短く見えていた。このため、着用者の臀部が加齢に伴ってたるんでいる場合には、ガードル本来の補整機能を充分に着用者が享受することができないでいた。本実施形態のガードル１では、臀部の頂点Ｔが高い位置に補整されるため、臀部の立ち上がりがシャープになり、脚が長く見えるようになる。
【００４４】
さらに、本実施形態のガードル１では、臀部下部が下方にたるんでいる場合であっても、ガードル本来の体型補整機能を発揮することが可能である。図５は、本実施形態に係るガードルを着用した場合の臀溝Ｂの左右方向の長さを比較するための図である。図５（Ａ）は、従来のガードル５１を着用した場合を示し、図５（Ｂ）は、本実施形態に係るガードル１を着用した場合を示している。図５に示すように、従来のガードル５１を着用した場合に臀溝Ｂが臀部の側部まで形成される着用者であっても、本実施形態に係るガードル１を着用した場合には、ガードル本来の体型補整機能が充分に発揮され、臀溝Ｂの左右の長さが短くなる。また、臀溝Ｂの左右の長さが短くなるため、本体生地が臀溝Ｂに食い込まれる着崩れの発生が防止される。
【００４５】
このように本実施形態のガードル１によれば、臀溝Ｂ周辺の贅肉が付き易い部位である張出容易領域Ａに対応する位置を通り、臀裂側へ斜め上方に延在する第１緊締部１１を備える構成であるため、贅肉の付き易い個所である張出容易領域Ａを臀裂側へ押圧することができる。これにより、臀溝Ｂの左右両端部付近の贅肉が、臀裂側へ寄せられて、臀溝Ｂの左右方向の長さが短くなるように着用者の体型を補整することができる。また、ガードル１は、臀溝Ｂ周辺の贅肉が付き易い部位である張出容易領域Ａに対応する位置を通り、上方へ延在する第２緊締部２１を備える構成であるため、贅肉の付き易い個所である張出容易領域Ａを上方へ押圧することができる。これにより、臀溝Ｂの左右両端部付近の贅肉が、腰部の左右両端側へ引き上げられるので、臀溝Ｂの左右方向の長さが短くなるように着用者の体型を補整することができる。これらの第１緊締部１１及び第２緊締部２１によって、臀溝Ｂの左右方向の長さが短くなるように着用者の体型が補整され、臀溝Ｂの深さが浅くなること、着崩れが防止され緊締部１０が正しい位置に配置されることによる相乗効果により、緊締部１０による体型補整機能が更に効果的に発揮される。その結果、臀部の出っ張りが好適に補整され、臀部下部から脚部に連続する曲線が急峻となることを防ぎ、着用者の脚が長く見えるようになる。また、臀部を小さく見せるという効果も生じる。
【００４６】
上記実施形態では、緊締部１０を当て布によって構成する例を挙げているが、本発明はこれに限定されるものではない。例えば、本体生地の伸度を部分的に切り替えることによって緊締部１０を形成するものとしても良い。この場合には、第１緊締部１１、第２緊締部２１をそれぞれ形成する当て布が重なり合う張出容易領域A周辺部分の伸度が第１緊締部１１、第２緊締部２１の中で最も低くなるように形成することが好ましい。なお、本体生地の伸度を部分的に切り替えるためには、例えば、本体生地の編地の弾性糸の量を調整することが考えられる。また、本体生地にオパール（抜蝕）加工を施すといったことも考えられる。なお、上記のように、本体生地の伸度を部分的に切り替えて緊締部１０を形成する場合には、例えば、特開２００９−２７０２１４に示すような経編地を本体生地とすることも考えられる。
【００４７】
なお、本体生地の編地の伸度を部分的に変更して緊締部１０を形成する場合には、緊締部１０内の伸度をさらに段階的に切り替えるといったことも考えられる。この場合には、着用者の動作に対する緊締部１０の追従性を高め、着崩れをより一層抑制することができる。
【００４８】
また、本発明の股付き衣類は、例えば弾性樹脂からなる緊締部を備える構成としてもよい。緊締部における弾性樹脂の配置形状パターンとしては、格子状、面状、ライン状、ドット状などがある。また、これらの配置形状パターンを組み合わせてもよい。
【００４９】
また、例えば、当て布によって形成された緊締部、弾性樹脂によって形成された緊締部、伸度が調整された編地によって形成された緊締部を組み合わせて構成してもよい。
【００５０】
以上、本発明をその実施形態に基づき具体的に説明したが、本発明は、上記実施形態に限定されるものではない。上記実施形態では、本発明の股付き衣類をガードルとして説明しているが、本発明の股付き衣類は、ガードルに限定されず、例えば、ショーツ、ボディスーツ、水着、レオタード、レギンス、スパッツ、パンティストッキング、スポーツ用タイツとして実現しても良い。また、本発明の股付き衣類を、上記以外のボトム衣類、例えば、パンツ等のアウターウェアとして実現するものとしても良い。
【００５１】
また、上記実施形態では、緊締部の下辺が本体生地に縫着されていない構成としているが、緊締部の下辺が本体生地に縫着されていてもよい。また、当て布は、肌側ではなく、ガードル１の表面側に形成されていてもよい。
【００５２】
以下、図６〜図１２を参照して、本発明の実施形態に係る変形例の股付き衣類について説明する。図６〜図１２に示す変形例のガードル１Ｂ〜１Ｇでは、表裏を反転させた場合の着用状態を示している。
【００５３】
（変形例１）
図６は、実施形態に係る第１変形例の股付き衣類の背面図である。図６に示す第１変形例のガードル１Ｂが図１に示すガードル１と違う点は、第１緊締部１１Ｂ、第２緊締部２１Ｂの形状が違う点である。第１緊締部１１Ｂの上辺１１ａは、上縁２ｂ近傍で、緊締部の幅方向の外側へ（後中心から離れる方向へ）湾曲している。第２緊締部２１Ｂの上辺２１ａは、上縁２ｂ近傍で、緊締部の幅方向の外側へ（後中心へ近づく方向へ）湾曲している。また、上辺２１ａと対向する側辺２１ｂが幅方向の外側へ湾曲形成されていてもよい。このように、第１緊締部１１Ｂ、及び第２緊締部２１Ｂの幅を変更するように変形させてもよい。
【００５４】
（変形例２）
図７は、実施形態に係る第２変形例の股付き衣類の背面図である。図７に示す第２変形例のガードル１Ｃが図１に示すガードル１と違う点は、第２緊締部２１Ｃにおいて、張出容易領域Ａの下方に、傾斜部２３（図１参照）が形成されていない点である。第２変形例のガードル１Ｃの緊締部１０は、例えば、Ｙ字状に形成されている。このように、緊締部１０は、後中心に沿って上下方向に延在し、臀裂上端Ｃ近傍から、臀溝Ｂの左右方向の端部へ傾斜し、張出容易領域Ａを通り、さらに下方へ延在する第１緊締部１１と、張出容易領域Ａから上方へ延在する第２緊締部２１Ｃとを備える構成としてもよい。
【００５５】
（変形例３）
図８は、実施形態に係る第３変形例の股付き衣類の正面図、図９は、第３変形例の股付き衣類の背面図である。図８及び図９に示す第３変形例のガードル１Ｄが図１に示すガードル１と違う点は、正面側を覆う前身頃３にも緊締部が設けられている点である。
【００５６】
ガードル１Ｄの第１緊締部１１Ｄは、本体部２の上縁２ｂから後中心に沿って下方へ、臀裂の上端部Ｃ近傍まで延在する上端部１２と、臀裂の上端部Ｃ近傍から左右の張出容易領域Ａに対応する位置まで斜め下方へ延在する傾斜部１３と、左右の張出容易領域Ａから更に下方へ延在し裾部２ｃ近傍まで形成された下部１４Ｄとを有する。また、第１緊締部１１Ｄの下部１４Ｄは、張出容易領域Ａの側部から縫合ライン２ａを挟んで正面側まで連続して形成されている。第１緊締部１１Ｄの下部１４Ｄは、着用者の太股正面の外側半分程度を覆うように形成されている。
【００５７】
第１緊締部１１Ｄの上辺１１ａは、上縁２ｂから下方へ延在し、臀裂上端部Ｃ近傍から外側へ湾曲し、張出容易領域Ａの上方を通り、図示左右方向に延在し、正面側まで形成されている。第１緊締部１１Ｄの側辺１１ｃは、上辺１１ａの正面側の端部から下方へ屈曲形成され、上下方向に延在し、裾部２ｃまで形成されている。
【００５８】
ガードル１Ｄの第２緊締部２１Ｄは、両側部において、上縁２ｂから張出容易領域Ａに対応する位置まで延在する上部２２Ｄと、張出容易領域Ａから内股側まで、斜め下方へ延在する傾斜部２３とを有する。また、第２緊締部２１Ｄの上部２２Ｄは、張出容易領域Ａの側部から縫合ライン２ａを挟んで正面側まで連続して形成されている。第２緊締部２１Ｄの上部２２Ｄは、着用者の正面下腹部を覆うように形成されている。
【００５９】
第２緊締部２１Ｄの下辺２１ｃは、内股の裾部２ｃ近傍において斜め上方へ延在して臀溝Ｂを跨ぎ、張出容易領域Ａの下方を経由して左右方向へ湾曲し、正面側まで形成されている。正面側において、下辺２１ｃは第１緊締部１１Ｄの上辺１１ａの下方に配置され、上辺１１ａと並行に形成されている。第２緊締部２１Ｄの側辺２１ｂは、下辺２１ｃの正面側の端部から上方へ屈曲形成されている。また、第２緊締部２１Ｄの側辺２１ｂ及び第１緊締部１１Ｄの側辺１１ｃは、上下方向に連続して形成され、第２緊締部２１Ｄの側辺２１ｂは、前中心へ湾曲している。
【００６０】
また、ガードル１Ｄでは、張出容易領域Ａに対応する位置であって、上辺２１ａ、下辺１１ｂ、下辺２１ｃ、縫合ライン２ａによって囲まれる領域の伸度を周囲の領域と比較して、低くなるように形成してもよい。
【００６１】
（変形例４）
図１０は、実施形態に係る第４変形例の股付き衣類の背面図である。図１０に示す第４変形例のガードル１Ｅが図１に示すガードル１と違う点は、第１緊締部１１Ｅの上端部が上縁２ｂまで形成されていない点、第１緊締部１１Ｅの下端部が裾部２ｃまで形成されていない点、第２緊締部２１Ｅの上端部が上縁２ｂまで形成されていない点、張出容易領域Ａの下方に、第２緊締部２１Ｅが形成されていない点である。第４変形例のガードル１Ｅの緊締部１０は、例えば、Ｙ字状に形成されている。また、緊締部１０が、裾部２ｃまで形成されていないガードルの場合には、裾口がめくれ易くなるおそれがあるため、裾口の締め付け力を強くするといった対策を施すことが好ましい。
【００６２】
（変形例５）
図１１は、実施形態に係る第５変形例の股付き衣類の背面図である。図１１に示す第５変形例のガードル１Ｆが図１０に示す第４変形例のガードル１Ｅと違う点は、第１緊締部１１Ｆ、第２緊締部２１Ｆが臀溝Ｂよりも下方に形成されていない点である。第５変形例のガードル１Ｆの緊締部１０は、例えば、Ｖ字状に形成されている。
【００６３】
（変形例６）
図１２は、実施形態に係る第６変形例の股付き衣類の背面図である。図１２に示す第６変形例のガードル１Ｇが図１０に示す第４変形例のガードル１Ｅと違う点は、ガードル１Ｅと比較して丈が短い点である。このように本発明をショートタイプガードルに適用してもよい。
【００６４】
なお、体型補整機能が充分に得られる場合には、図１２に示すようなショートタイプガードルよりも、股下の丈をさらに短いものとし、例えば、裾部２ｃが臀溝Ｂ近傍に位置する程度の丈長さとしてもよい。
【００６５】
（変形例７）
図１３は、実施形態に係る第７変形例の股付き衣類の背面図である。図１３に示す第６変形例のガードル１Ｈが図１２に示す第６変形例のガードル１Ｇと違う点は、ガードル１Ｇと比較して上縁２ｂＨの位置が低い点である。また、上縁２ｂＨの位置に合わせて、第１緊締部１１Ｈおよび第２緊締部２１Ｈの長さが短くされている。このように、本発明をローライズタイプガードルに適用しても良い。この場合には、上縁２ｂよりも上縁２ｂＨを幅広とする（図示上下方向の幅を広くする）、あるいは、上縁２ｂよりも上縁２ｂＨの締付け力を大きくするといった方法により本体部２Ｈのずり下がりを防止することが好ましい。
【符号の説明】
【００６６】
１，１Ｂ〜１Ｈ…ガードル
２，２Ｇ，２Ｈ…本体部
２ａ…縫合ライン
２ｂ，２ｂＨ…上縁
２ｃ…裾部
３…前身頃
４…後身頃
１０…緊締部
１１，１１Ｂ，１１Ｄ，１１Ｅ，１１Ｆ，１１Ｈ…第１緊締部
１１ａ…上辺、
１１ｂ…下辺
１１ｃ…側辺
１１ｄ…辺
１２…上端部
１３…傾斜部
１４…下端部
１４Ｄ…下部
２１，２１Ｂ，２１Ｃ，２１Ｄ，２１Ｅ，２１Ｆ，２１Ｈ…第２緊締部
２１ａ…上辺
２１ｂ…側辺
２１ｃ…下辺
２２…上下方向部
２２Ｄ…上部
２３…傾斜部
５１…従来のガードル
Ａ…張出容易領域
Ｂ…臀溝
Ｃ…臀裂上端部
Ｄ…大転子
Ｈ１，Ｈ２…高さ
Ｌ１…第１仮想線
Ｌ２…第２仮想線
Ｐ０…基準線
Ｐ１，Ｐ２…接線
Ｐ１０…基準位置
Ｔ…臀部の頂点
【図１】
2011214188.tif 000003
【図２】
2011214188.tif 000004
【図３】
2011214188.tif 000005
【図４】
2011214188.tif 000006
【図５】
2011214188.tif 000007
【図６】
2011214188.tif 000008
【図７】
2011214188.tif 000009
【図８】
2011214188.tif 000010
【図９】
2011214188.tif 000011
【図１０】
2011214188.tif 000012
【図１１】
2011214188.tif 000013
【図１２】
2011214188.tif 000014
【図１３】
2011214188.tif 000015